(57)【要約】  室内機の据付板は、平板状の本体部と、本体部から前方に突出した３つの凸部と、を備え、３つの凸部は、正面視にて左右方向に間隔を空けて配置され、水準器が載置される上端部が同一高さに位置し、真ん中の凸部は、その左右の凸部の中央の位置から右側または左側にずれた位置に配置されているものである。
2020115895.tif 000002
【特許請求の範囲】
【請求項１】
平板状の本体部と、
前記本体部から前方に突出した３つの凸部と、を備え、
３つの前記凸部は、
正面視にて左右方向に間隔を空けて配置され、
水準器が載置される上端部が同一高さに位置し、
真ん中の前記凸部は、その左右の前記凸部の中央の位置から右側または左側にずれた位置に配置されている
室内機の据付板。
【請求項２】
各前記凸部は左右両側に面を有し、
各前記凸部の前記上端部および下端部と前記本体部との間に開口が形成されており、
各前記凸部の前記上端部は水平である
請求項１に記載の室内機の据付板。
【請求項３】
各前記凸部は前記上端部に平坦面を有し、
各前記凸部の左右両側の端部と前記本体部との間に開口が形成されており、
各前記凸部の前記平坦面は水平である
請求項１に記載の室内機の据付板。
【請求項４】
前記本体部に、水平方向に延びた直線の印が設けられている
請求項１〜３のいずれか一項に記載の室内機の据付板。
【請求項５】
前記印は、隣接する前記凸部の上端部同士を結ぶ線上の位置に設けられている
請求項４に記載の室内機の据付板。
【発明の詳細な説明】
【技術分野】
【０００１】
本発明は、壁掛形の空気調和機の室内機を壁などに据え付けるための室内機の据付板の構造に関するものである。
【背景技術】
【０００２】
壁掛形の空気調和機の室内機は、据付板によって壁などに据付けられるが、設置業者がこの据付板を壁などに取り付ける際に、据付板が水平か否かを確認する水準器が用いられる。そのため、従来の据付板には水準器を載置するための一対の凸部が設けられている。しかしながら、一対の凸部の間隔より短い水準器が用いられる場合は、凸部に水準器を載置することができず、据付板を水平に調整し難い。また、短い水準器も用いることができるように一対の凸部の間隔を小さくした場合は、長い水準器があっても間隔の小さな凸部に載置することになるため、凸部に載置された水準器が不安定になってしまい、据付板を水平に調整し難い。そこで、異なる長さの水準器に対応した室内機の据付板が提案されている（例えば、特許文献１参照）。【０００３】
特許文献１では、間隔が長い一対の第一の凸部と間隔が短い一対の第二の凸部とが上下方向にずらして設けられている。そして、長い水準器は第一の凸部に載置でき、短い水準器は第二の凸部に載置できるようになっているので、長い水準器でも短い水準器でも用いることができる。そのため、どちらの長さの水準器を用いた場合であっても据付板が水平か否かを容易に確認することができ、据付板を水平に調整しやすい。
【先行技術文献】
【特許文献】
【０００４】
【特許文献１】特開２００６−７１１６４号公報
【発明の概要】
【発明が解決しようとする課題】
【０００５】
近年では水準器の長さが多様化しており、様々な長さの水準器が用いられる。そのため、特許文献１のような従来の据付板では、一対の第一の凸部の間隔より短く、一対の第二の凸部の間隔より長い中間長さの水準器が用いられた場合、第一の凸部には中間長さの水準器を載置することができず、第二の凸部には載置できたとしても水準器が不安定になってしまうという課題があった。つまり、従来の据付板では、３つ以上の異なる長さの水準器を用いることができるとは言えなかった。【０００６】
本発明は、以上のような課題を解決するためになされたもので、従来よりも様々な長さの水準器を用いることができる室内機の据付板を提供することを目的としている。
【課題を解決するための手段】
【０００７】
本発明に係る室内機の据付板は、平板状の本体部と、前記本体部から前方に突出した３つの凸部と、を備え、３つの前記凸部は、正面視にて左右方向に間隔を空けて配置され、水準器が載置される上端部が同一高さに位置し、真ん中の前記凸部は、その左右の前記凸部の中央の位置から右側または左側にずれた位置に配置されているものである。
【発明の効果】
【０００８】
本発明に係る室内機の据付板によれば、３つの凸部は、正面視にて左右方向に間隔を空けて配置され、水準器が載置される上端部が同一高さに位置し、真ん中の凸部は、その左右の凸部の中央の位置から右側または左側にずれた位置に配置されている。そのため、少なくとも３つ以上の異なる長さの水準器を載置することができ、従来よりも様々な長さの水準器を載置することができる。
【図面の簡単な説明】
【０００９】
【図１】本発明の実施の形態１に係る空気調和機の室内機およびその据付板を示す斜視図である。
【図２】本発明の実施の形態１に係る空気調和機の室内機およびその据付板の縦断面を側面視した図である。
【図３】本発明の実施の形態１に係る室内機の据付板の正面図である。
【図４】本発明の実施の形態１に係る室内機の据付板の凸部周辺の拡大図である。
【図５】本発明の実施の形態１に係る室内機の据付板の凸部に長い水準器が載置された状態を示す正面図である。
【図６】本発明の実施の形態１に係る室内機の据付板の凸部に中間長さの水準器が載置された状態を示す正面図である。
【図７】本発明の実施の形態１に係る室内機の据付板の凸部に短い水準器が載置された状態を示す正面図である。
【図８】本発明の実施の形態１に係る室内機の据付板の斜視図である。
【図９】図８のＡ矢視部の拡大図である。
【図１０】本発明の実施の形態１に係る室内機の据付板の凸部の正面模式図である。
【図１１】本発明の実施の形態１に係る室内機の据付板の凸部の平面模式図である。
【図１２】図１０のＢ−Ｂ断面矢視図である。
【図１３】本発明の実施の形態１に係る室内機の据付板の凸部の変形例の斜視図である。
【図１４】本発明の実施の形態１に係る室内機の据付板の凸部の変形例の正面図である。
【図１５】本発明の実施の形態１に係る室内機の据付板の凸部の変形例の側面図である。
【図１６】本発明の実施の形態２に係る室内機の据付板の正面図である。
【図１７】本発明の実施の形態２に係る室内機の据付板の変形例の正面図である。
【発明を実施するための形態】
【００１０】
以下、本発明の実施の形態を図面に基づいて説明する。なお、以下に説明する実施の形態によって本発明が限定されるものではない。また、以下の図面では各構成部材の大きさの関係が実際のものとは異なる場合がある。
【００１１】
また、以下の説明において、理解を容易にするために方向を表す用語（例えば「上」、「下」、「右」、「左」、「前」、「後」など）を適宜用いるが、これは説明のためのものであって、これらの用語は本願発明を限定するものではない。また、以下に説明する実施の形態では、据付板を正面視した状態において、「上」、「下」、「右」、「左」、「前」、「後」などを使用する。
【００１２】
実施の形態１．
図１は、本発明の実施の形態１に係る空気調和機の室内機１およびその据付板１０を示す斜視図である。図２は、本発明の実施の形態１に係る空気調和機の室内機１およびその据付板１０の縦断面を側面視した図である。図３は、本発明の実施の形態１に係る室内機１の据付板１０の正面図である。図４は、本発明の実施の形態１に係る室内機１の据付板１０の凸部２０ａ〜２０ｃ周辺の拡大図である。
【００１３】
図１および図２に示すように本実施の形態１に係る室内機１の据付板１０は、空気調和機の室内機１を壁２などに固定するものである。まず据付板１０が壁２などにネジ固定され、その状態で室内機１が据付板１０に据え付けられることで、室内機１が壁２などに固定される。
【００１４】
据付板１０は、材質が鋼の板材である鋼板で形成されている。また、据付板１０は、図３に示すように平板状の本体部１１と、本体部１１の上端に設けられた上部支持片１２と、本体部１１の下端に設けられた下部支持片１３と、本体部１１のほぼ上下中央かつほぼ左右中央に設けられた凸部２０ａ〜２０ｃと、を備えている。
【００１５】
上部支持片１２は、室内機１の背面上部に設けられた上部引掛け部（図示せず）を引っ掛けるものである。この上部支持片１２は、本体部１１の左右中の３箇所に間隔を空けて設けられている。下部支持片１３は、室内機１の背面下部に設けられた下部引掛け部（図示せず）を引っ掛けるものである。この下部支持片１３は、本体部１１の左右の２箇所に間隔を空けて設けられている。
【００１６】
なお、上部支持片１２は本体部１１の左右中の３箇所に設けられており、下部支持片１３は左右の２箇所に設けられているが、どちらも少なくとも左右の２箇所に設けられていればよい。あるいは、上部支持片１２および下部支持片１３が左右にかけて一体成形されている場合は、それぞれ１箇所に設けられていればよい。ここで、上部支持片１２が左右中の３箇所に設けられているのは、左右の上部支持片１２のどちらかが破損した場合でも中央の上部支持片１２で支持することで、室内機１が傾いて破損を気づかせる構造となっているためである。
【００１７】
室内機１の据付板１０への据え付け方法としては、まず室内機１の背面上部に設けられた上部引掛け部を据付板１０の上部支持片１２に引っ掛ける。その後、室内機１の下部を据付板１０の方向に押して、室内機１の背面下部に設けられた下部引掛け部を下部支持片１３に引っ掛けることにより、室内機１が据付板１０に据え付けられる。
【００１８】
凸部２０ａ〜２０ｃは、図３および図４に示すように本体部１１から前方に突出して本体部１１と一体成形されており、例えば本体部１１から前方に３〜５ｍｍ程度突出している。この凸部２０ａ〜２０ｃは、本体部１１の左右中の３箇所に間隔を空けて設けられている。また、凸部２０ａ〜２０ｃは、本体部１１の上下中央に設けられているが、これは、設置業者が水準器３０（後述する水準器３０ａ〜３０ｃの総称）を凸部２０ａ〜２０ｃに載置しやすくするとともに、凸部２０ａ〜２０ｃに載置された水準器３０を見やすくするためである。
【００１９】
例えば、凸部２０ａ〜２０ｃが本体部１１の上部に設けられている場合、据付板１０が壁２などにネジ固定された状態では、凸部２０ａ〜２０ｃが天井付近に位置してしまうことが多い。そのため、設置業者が水準器３０を凸部２０ａ〜２０ｃに載置しづらく、また、凸部２０ａ〜２０ｃに載置された水準器３０が見づらい。そこで、凸部２０ａ〜２０ｃを、本体部１１の上下中央に設けることで、設置業者が水準器３０を凸部２０ａ〜２０ｃに載置しやすくするとともに、凸部２０ａ〜２０ｃに載置された水準器３０を見やすくすることができる。
【００２０】
水準器３０が載置される凸部２０ａ〜２０ｃの上端部は、それぞれ同一高さに位置している。そのため、いずれの凸部２０ａ〜２０ｃに水準器３０を載置しても、水準器３０が傾かずに水平に保つことができる。ここで、水準器３０には、その設置面である下面にマグネットが設けられたものを用いることで、材質が鋼板の据付板１０に磁力でくっつくため、凸部２０ａ〜２０ｃの突出量が少なくても据付板１０を水平に調整しやすい。ただし、マグネットが設けられていない水準器３０を用いてもよい。
【００２１】
真ん中の凸部２０ｂは、左右の凸部２０ａ、２０ｃの中央の位置から左側にずれた位置に配置されている。なお、真ん中の凸部２０ｂは、左右の凸部２０ａ、２０ｃの中央の位置から左右のどちらかにずれた位置に配置されていればよく、左右の凸部２０ｂの中央の位置から右側にずれた位置に配置されていてもよい。このように凸部２０ａ〜２０ｃを配置することで、様々な長さの水準器３０を凸部２０ａ〜２０ｃに載置することができる。
【００２２】
左の凸部２０ａの左右中心位置と真ん中の凸部２０ｂの左右中心位置との間の距離Ｌ１は、例えば約８０ｍｍである。真ん中の凸部２０ｂの左右中心位置と右の凸部２０ｃの左右中心位置との間の距離Ｌ２は、例えば約２３０ｍｍである。左の凸部２０ａの左右中心位置と右の凸部２０ｃの左右中心位置との間の距離Ｌ３は、例えば約４１０ｍｍである。つまり、各距離Ｌ１〜Ｌ３の比は、およそＬ１：Ｌ２：Ｌ３＝１：３：４である。
【００２３】
図５は、本発明の実施の形態１に係る室内機１の据付板１０の凸部２０ａ〜２０ｃに長い水準器３０ａが載置された状態を示す正面図である。図６は、本発明の実施の形態１に係る室内機１の据付板１０の凸部２０ｂ、２０ｃに中間長さの水準器３０ｂが載置された状態を示す正面図である。図７は、本発明の実施の形態１に係る室内機１の据付板１０の凸部２０ａ、２０ｂに短い水準器３０ｃが載置された状態を示す正面図である。
【００２４】
図５〜図７に示すように、凸部２０ａ〜２０ｃには、長い水準器３０ａ、短い水準器３０ｃ、および、それらの間の長さである中間長さの水準器３０ｂを載置することができる。長い水準器３０ａは、例えば約４００ｍｍであり、中間長さの水準器３０ｂは、例えば約２５０ｍｍであり、短い水準器３０ｃは、例えば約１００ｍｍである。
【００２５】
長い水準器３０ａは、図５に示すように３つの凸部２０ａ〜２０ｃの上端部の全てに載置される。また、中間長さの水準器３０ｂは、図６に示すように２つの凸部２０ｂ、２０ｃの上端部に載置される。また、短い水準器３０ｃは、図７に示すように２つの凸部２０ａ、２０ｂの上端部に載置される。
【００２６】
図８は、本発明の実施の形態１に係る室内機１の据付板１０の斜視図である。図９は、図８のＡ矢視部の拡大図である。図１０は、本発明の実施の形態１に係る室内機１の据付板１０の凸部２０ａの正面模式図である。図１１は、本発明の実施の形態１に係る室内機１の据付板１０の凸部２０ａの平面模式図である。図１２は、図１０のＢ−Ｂ断面矢視図である。
【００２７】
以下、本実施の形態１に係る凸部２０ａの具体的な構造について説明するが、凸部２０ｂ、２０ｃの構造は凸部２０ａと同様の構造であるため、説明を省略する。
【００２８】
図９に示すように、凸部２０ａは左右両側に面２３を有し、上端部２１および下端部２２と本体部１１との間に開口２９が形成されている。左右両側の面２３は、図９および図１１に示すようになだらかに傾斜した形状を有している。ただし、左右両側の面２３の形状はそれに限定されず、平らな形状でもよい。また、図９および図１２に示すように凸部２０ａは、その上端部２１が水平である。そのため、水準器３０を凸部２０ａの上端部２１に載置しても、水準器３０を水平に保つことができる。
【００２９】
図１３は、本発明の実施の形態１に係る室内機１の据付板１０の凸部２０ａの変形例の斜視図である。図１４は、本発明の実施の形態１に係る室内機１の据付板１０の凸部２０ａの変形例の正面図である。図１５は、本発明の実施の形態１に係る室内機１の据付板１０の凸部２０ａの変形例の側面図である。
【００３０】
以下、本実施の形態１に係る凸部２０ａの変形例の具体的な構造について説明するが、凸部２０ｂ、２０ｃの構造は凸部２０ａの構造と同様であるため、説明を省略する。
【００３１】
図１３および図１４に示すように、凸部２０ａは上端部２５に平坦面を有し、左右両側の端部２６と本体部１１との間に開口２９が形成されている。図１３および図１５に示すように凸部２０ａは、その上端部２５の平坦面が水平である。そのため、水準器３０を凸部２０ａの上端部２５に載置しても、水準器３０を水平に保つことができる。
【００３２】
以上、本実施の形態１に係る室内機１の据付板１０は、平板状の本体部１１と、本体部１１から前方に突出した３つの凸部２０ａ〜２０ｃと、を備えている。そして、３つの凸部２０ａ〜２０ｃは、正面視にて左右方向に間隔を空けて配置され、水準器３０が載置される上端部２１、２５が同一高さに位置している。さらに、真ん中の凸部２０ｂは、その左右の凸部２０ａ、２０ｃの中央の位置から右側または左側にずれた位置に配置されているものである。
【００３３】
本実施の形態１に係る室内機１の据付板１０によれば、３つの凸部２０ａ〜２０ｃは、正面視にて左右方向に間隔を空けて配置され、水準器３０が載置される上端部２１、２５が同一高さに位置している。さらに、真ん中の凸部２０ｂは、その左右の凸部２０ａ、２０ｃの中央の位置から右側または左側にずれた位置に配置されている。そのため、少なくとも３つ以上の異なる長さの水準器３０を載置することができ、従来よりも様々な長さの水準器３０を載置することができる。
【００３４】
また、従来より凸部２０ａ〜２０ｃの数を減らしても載置することができる水準器３０の種類を増やせるため、室内機１の据付板１０の量産時に用いられる型の管理が容易となる。
【００３５】
実施の形態２．
以下、本発明の実施の形態２について説明するが、実施の形態１と重複するものについては説明を省略し、実施の形態１と同じ部分または相当する部分には同じ符号を付す。
【００３６】
図１６は、本発明の実施の形態２に係る室内機１の据付板１０の正面図である。図１７は、本発明の実施の形態２に係る室内機１の据付板１０の変形例の正面図である。
【００３７】
図１６に示すように、本実施の形態２に係る据付板１０の本体部１１には、水平方向に延びた直線の印１４が設けられている。この印１４は、水準器３０を凸部２０ａ〜２０ｃに水平に載置する際の水平基準を示しており、水準器３０を凸部２０ａ〜２０ｃに水平に載置する際の目印となるため、水準器３０を凸部２０ａ〜２０ｃに載置しやすくなる。なお、この印１４を、隣接する凸部２０ａ〜２０ｃの上端部同士を結ぶ線上またはその近くに設ける。そうすることで、水準器３０を凸部２０ａ〜２０ｃに載置した際に水準器３０の下端部と印１４とがほぼ合うため、水準器３０を凸部２０ａ〜２０ｃにより載置しやすくすることができる。
【００３８】
また、図１７に示すように、据付板１０の本体部１１に、印１４が水平基準であることを説明する日本語および英語などの文字１５を設けてもよい。このように据付板１０の本体部１１に文字１５を設けることで、印１４が何を表しているのかを設置業者に分かりやすくすることができる。
【００３９】
なお、印１４および文字１５は、本体部１１にプレス加工の刻印で設けてもよいし、本体部１１にシールを貼り付けて設けてもよいし、それらの組み合わせで設けてもよい。ここで、プレス加工の刻印は、凸形状でもよいし、凹形状でもよい。
【００４０】
以上、本実施の形態２に係る室内機１の据付板１０は、本体部１１に、水平方向に延びた直線の印１４が設けられている。本実施の形態２に係る室内機１の据付板１０によれば、印１４は、水準器３０を凸部２０ａ〜２０ｃに水平に載置する際の目印となるため、水準器３０を凸部２０ａ〜２０ｃに載置しやすくすることができる。
【００４１】
また、本実施の形態２に係る室内機１の据付板１０の印１４は、隣接する凸部２０ａ〜２０ｃの上端部２１、２５同士を結ぶ線上に設けられている。本実施の形態２に係る室内機１の据付板１０によれば、水準器３０を凸部２０ａ〜２０ｃに載置した際に水準器３０の下端部と印１４とが合うため、水準器３０を凸部２０ａ〜２０ｃにより載置しやすくすることができる。
【符号の説明】
【００４２】
１  室内機、２  壁、１０  据付板、１１  本体部、１２  上部支持片、１３  下部支持片、１４  印、１５  文字、２０ａ  凸部、２０ｂ  凸部、２０ｃ  凸部、２１  上端部、２２  下端部、２３  面、２５  上端部、２６  端部、２９  開口、３０  水準器、３０ａ  水準器、３０ｂ  水準器、３０ｃ  水準器。
【図１】
2020115895.tif 000003
【図２】
2020115895.tif 000004
【図３】
2020115895.tif 000005
【図４】
2020115895.tif 000006
【図５】
2020115895.tif 000007
【図６】
2020115895.tif 000008
【図７】
2020115895.tif 000009
【図８】
2020115895.tif 000010
【図９】
2020115895.tif 000011
【図１０】
2020115895.tif 000012
【図１１】
2020115895.tif 000013
【図１２】
2020115895.tif 000014
【図１３】
2020115895.tif 000015
【図１４】
2020115895.tif 000016
【図１５】
2020115895.tif 000017
【図１６】
2020115895.tif 000018
【図１７】
2020115895.tif 000019
【手続補正書】
【提出日】令和2年12月8日(2020.12.8)
【手続補正１】
【補正対象書類名】図面
【補正対象項目名】図９
【補正方法】変更
【補正の内容】
【図９】
2020115895.tif 000020
【手続補正２】
【補正対象書類名】図面
【補正対象項目名】図１０
【補正方法】変更
【補正の内容】
【図１０】
2020115895.tif 000021
【手続補正３】
【補正対象書類名】図面
【補正対象項目名】図１１
【補正方法】変更
【補正の内容】
【図１１】
2020115895.tif 000022
【手続補正４】
【補正対象書類名】図面
【補正対象項目名】図１２
【補正方法】変更
【補正の内容】
【図１２】
2020115895.tif 000023
【手続補正５】
【補正対象書類名】図面
【補正対象項目名】図１３
【補正方法】変更
【補正の内容】
【図１３】
2020115895.tif 000024
【手続補正６】
【補正対象書類名】図面
【補正対象項目名】図１４
【補正方法】変更
【補正の内容】
【図１４】
2020115895.tif 000025
【手続補正７】
【補正対象書類名】図面
【補正対象項目名】図１５
【補正方法】変更
【補正の内容】
【図１５】
2020115895.tif 000026
【国際調査報告】
2020115895.tif 000027
2020115895.tif 000028
2020115895.tif 000029
2020115895.tif 000030